(57)【要約】      （修正有）【課題】携帯に便利で、即時測定できる改良式温度測定装置を提供する。【解決手段】改良式温度測定装置は、少なくとも温度測定器１０と携帯式電子機器２０を備える。温度測定器は温度感知ユニット１１、信号処理ユニット、及び第一伝送ユニット１３を有し、信号処理ユニットは温度感知ユニットと第一伝送ユニットにそれぞれ接続する。携帯式電子機器には第二伝送ユニット２１、制御ユニット、表示ユニット２３、及び電源を備える。制御ユニットは第二伝送ユニット、表示ユニット、及び電源にそれぞれ接続し、第二伝送ユニットは第一伝送ユニットと接続する。温度測定器の測定結果は、表示ユニットにより表示され、操作が簡単で、差し込むだけで随時使用できる。【選択図】図１
0003189676.tif 000002
【実用新案登録請求の範囲】
【請求項１】
少なくとも温度測定器と携帯式電子機器を備える改良式温度測定装置であって、
前記温度測定器は温度感知ユニット、信号処理ユニット、及び第一伝送ユニットを設け、前記信号処理ユニットは前記温度感知ユニットと前記第一伝送ユニットにそれぞれ接続し、
前記携帯式電子機器には第二伝送ユニット、制御ユニット、表示ユニット、及び電源を備え、前記制御ユニットは前記第二伝送ユニット、表示ユニット、及び電源にそれぞれ接続し、前記第二伝送ユニットは前記第一伝送ユニットと接続することにより、温度測定器の測定結果を受信することを特徴とする改良式温度測定装置。
【請求項２】
前記第一伝送ユニット、第二伝送ユニットはＵＳＢインターフェースであることを特徴とする請求項１に記載の改良式温度測定装置。
【請求項３】
前記第一伝送ユニット、前記第二伝送ユニット間を無線方式で接続することを特徴とする請求項１に記載の改良式温度測定装置。
【請求項４】
前記温度測定器にはブザーをさらに設け、前記ブザーは前記信号処理ユニットに接続することを特徴とする請求項１に記載の改良式温度測定装置。
【請求項５】
前記制御ユニットには照合部材及び保存部材を設けることを特徴とする請求項１に記載の改良式温度測定装置。
【請求項６】
前記第二伝送ユニットは携帯式電子機器のイヤホンジャックであることを特徴とする請求項１に記載の改良式温度測定装置。
【請求項７】
前記温度測定器には第一挿入検知ユニット及び警告ユニットを設け、前記第一挿入検知ユニット及び警告ユニットは前記信号処理ユニットにそれぞれ接続し、前記第一挿入検知ユニットによって前記温度測定器の第一伝送ユニットが前記第二伝送ユニットと接続されているかを検知し、並びに、前記信号処理ユニットは前記警告ユニットが警告を発するのをコントロールすることを特徴とする請求項１に記載の改良式温度測定装置。
【請求項８】
前記警告ユニットは表示灯或いはブザーであることを特徴とする請求項７に記載の改良式温度測定装置。
【請求項９】
前記携帯式電子機器には第二挿入検知ユニットを設け、前記第二挿入検知ユニットは前記制御ユニットに接続し、前記第二挿入検知ユニットによって前記温度測定器の第一伝送ユニットが前記第二伝送ユニットと接続しているか否かを検知し、並びに、前記制御ユニットを通して前記表示ユニットの表示をコントロールすることを特徴とする請求項に１記載の改良式温度測定装置。
【請求項１０】
前記温度感知ユニットは、薄膜技術を利用してシリコンベース上に複数の熱電対を接続してサーモパイルを形成し、前記熱電対の熱端及び冷端間は断熱のＳｉＮｘ膜を用いて隔離し、熱端から導き入れられた赤外線を熱エネルギーに変換し、さらに、前記熱電対は熱エネルギーをそれに比例する電圧に変換して前記信号処理ユニットに出力することを特徴とする請求項１に記載の改良式温度測定装置。
【請求項１１】
前記温度感知ユニットは、温度センサＩＣであることを特徴とする請求項１に記載の改良式温度測定装置。
【考案の詳細な説明】
【技術分野】
【０００１】
本考案は、特に携帯に便利で、即時測定できる改良式温度測定装置に関する。
【背景技術】
【０００２】
体温は人体の健康指標値であり、人体の免疫システムの健康状況は通常、体温の変化によって知る事ができるため、体温計はほとんどの家で備える身体の測定具となっている。科学技術の発展に伴い、体温を量る器具は伝統的な水銀体温計から各種の電子測定器に発展した。そのうち、最も正確で便利なのは額や耳ではかる赤外線体温計である。それらは、正確度が高く、操作が簡単で素早く測定できる等の長所があるため、徐々に体温測定方式の主流となってきている。
【０００３】
通常、風邪や身体の具合が悪い時に服用する薬品は、まず体温を測ってから用いる。特に子供や老人は体温に対する反応が一般成人に比べて敏感でないので、体温計を用いる必要がある。さらに、発熱は、体温を調整する中枢神経がコントロールできずに引き起こされるか、外部の細菌やウィルスが体内に侵入して引き起こされるものであり、継続的に発熱が退かない場合は病気の進行が早まり、その他の併発病を起こして生命に関わることさえもある。体温測定を重視する一般社会の人々が体温によって最初のコントロールをすることができたなら、それに対応する体温計のニーズも高くなる。
【０００４】
市場で見られるペン型電子体温計は、迅速で正確に体温を測定でき、ＬＣＤディスプレイを用いて明確に体温を表示できる。並びに、前回に測った温度を記憶し、測定が完了したらメロディ通知する等の諸々の特徴を備える。これは、容易に割れて水銀中毒汚染の危険性を有する伝統的な水銀温度計とは異なるものである。よって、一般家庭、病院等で幅広く使用される必需品となり、供給が追いつかない状況である。
【考案の概要】
【考案が解決しようとする課題】
【０００５】
しかしながら、ペン型電子体温計は電池、ディスプレイ、メモリー等の基本部材を必要とするため、体積全体は若干大きく携帯に不便である。
【０００６】
上記の問題に鑑み、本考案は特に、携帯に便利で、即時に測定できる改良式温度測定装置を提供することを主な目的とする。
【課題を解決するための手段】
【０００７】
前述の目的を達成するために開示する本考案の改良式温度測定装置は、少なくとも温度測定器と携帯式電子機器を備える。前記温度測定器は温度感知ユニット、信号処理ユニット、及び第一伝送ユニットを有し、前記信号処理ユニットは前記温度感知ユニットと前記第一伝送ユニットにそれぞれ接続する。前記携帯式電子機器には第二伝送ユニット、制御ユニット、表示ユニット、及び電源を備える。前記制御ユニットは前記第二伝送ユニット、表示ユニット、及び電源にそれぞれ接続し、前記第二伝送ユニットは前記第一伝送ユニットと接続する。
【０００８】
前記第一伝送ユニット、第二伝送ユニットによって、前記温度測定器と前記携帯式電子機器の接続が形成される。前記携帯式電子機器の電源によって前記温度測定器が作動し、測定者の体温を測定した体温信号が取得され、前記携帯式電子機器に伝送されて、前記表示ユニットに表示される。
【考案の効果】
【０００９】
本考案の改良式温度測定装置は、操作が簡単で、差し込むだけで随時使用でき、即時に測定できる効果を有する。
【図面の簡単な説明】
【００１０】
【図１】本考案による温度測定装置の構造立体図である。
【図２】本考案による温度測定装置の構造を示すブロック図である。
【図３】本考案による温度測定装置のもう一つの構造を示すブロック図である。
【図４】本考案による温度測定装置のさらにもう一つの構造を示すブロック図である。
【考案を実施するための形態】
【００１１】
本考案の特徴を明確に理解していただくために、次に、本案の図面及び実施例を参照とした詳細説明を行なう。
【実施例】
【００１２】
図１には本考案による温度測定装置の構造図を示す。本考案の改良式温度測定装置１は少なくとも一つの温度測定器１０と携帯式電子機器２０を含む。
【００１３】
前記温度測定器１０は温度感知ユニット１１、信号処理ユニット１２、及び第一伝送ユニット１３を有する。前記信号処理ユニット１２は前記温度感知ユニット１１と前記第一伝送ユニット１３にそれぞれ接続し、前記温度感知ユニット１１は赤外線センサ（ＩＲ  Ｓｅｎｓｏｒ）としてもよく、前記測定者の体温信号を感知するのに用いる。その温度検知原理は一般によく見られる電子体温計の測定原理と同様であり、熱感応によって引き起こされる電圧、電気抵抗、或いは電流の変化を通して温度信号を電子信号に変換する。
【００１４】
前記携帯式電子機器２０には第二伝送ユニット２１、制御ユニット２２、表示ユニット２３、及び電源２４を備える。前記制御ユニット２２は前記第二伝送ユニット２１、表示ユニット２３、及び電源２４にそれぞれ接続し、前記第二伝送ユニット２１は前記第一伝送ユニット１３と接続する。前記携帯式電子機器２０は携帯電話、ノートブックパソコン、タブレットパソコン等である。
【００１５】
図１及び図２に示すとおり、前記温度感知ユニット１１は温度測定器１０の一端に設け、前記第一伝送ユニット１３、第二伝送ユニット２１はＵＳＢインターフェースである。使用する際、まず前記第一伝送ユニット１３、第二伝送ユニット２１によって、前記温度測定器１０と前記携帯式電子機器２０の接続を行い、前記携帯式電子機器の電源２４によって前記温度測定器１０を作動させ、温度感知ユニット１１を肌に接触させる。脇の下に挟む或いは舌の上で体温をはかることも可能である。温度感知ユニット１１は測定された温度を前記信号処理ユニット１２に伝え、前記信号処理ユニット１２は測定された体温値を前記第一伝送ユニット１３、第二伝送ユニット２１を介して前記携帯式電子機器２０に伝え、前記表示ユニット２３にデジタル表示する。
【００１６】
図に示すとおり、本実施例での前記第一伝送ユニット１３、第二伝送ユニット２１はＵＳＢインターフェースである。当然ながら、前記第一伝送ユニット１３、第二伝送ユニット２１間を無線方式で接続してもよく、或いは、前記第二伝送ユニット２１を携帯式電子機器のイヤホンジャックとしてもよい。また、前記温度感知ユニット１１は、薄膜技術を利用してシリコンベース上に複数の熱電対を接続してサーモパイルを形成し、前記熱電対の熱端及び冷端間は断熱のＳｉＮｘ膜を用いて隔離し、熱端から導き入れられた赤外線を熱エネルギーに変換し、さらに、前記熱電対は熱エネルギーをそれに比例する電気エネルギーに変換して前記信号処理ユニットに出力する。或いは、前記温度感知ユニットは、温度センサＩＣ部材としてもよい。それは半導体ＰＮインターフェースの負温度の特性を用いるもので、温度上昇時、障壁電圧が下がり、逆方向電流が大きくなる特性を用いて温度を測定する。
【００１７】
さらに、図３に示すとおり、前記温度測定器１０にはブザー１４をさらに設け、前記ブザー１４は前記信号処理ユニット１２に接続する。また、前記携帯式電子機器２０の制御ユニット２２には照合部材２５及び保存部材２６を設け、照合ユニット２５を用いて今回測定した体温と正常時の体温を照合し、ブザー１４を用いて注意或いは危険メッセージを知らせ、即時に測定者に対して早期の予防を促す。並びに、保存ユニット２６を用いて測定値を保存することにより、家族や医療人員は複数の体温測定値を参考にして身体の状態を判断することができる。
【００１８】
本考案の特徴は、本考案による温度測定器は体積が小さく携帯に便利であり、測定が必要である時は、非常に簡単に使用者の携帯式電子機器に接続するだけで即時に測定が行なえ、操作が簡単で、差し込むだけで随時使用でき、即時に測定できる効果を有する点にある。また、前記携帯式電子機器は予めＡＰＰプログラムをダウンロードすることによって、体温測定結果を記録、管理することが可能であり、複数の測定者の生理状況を統合することもできる。
【００１９】
また、前記温度測定器１０には第一挿入検知ユニット１５及び警告ユニット１６を設ける。図４の実施例に示したとおり、前記第一挿入検知ユニット１５及び警告ユニット１６は前記信号処理ユニット１２にそれぞれ接続し、前記第一挿入検知ユニット１５によって前記温度測定器の第一伝送ユニット１３が前記第二伝送ユニット２１と接続されているかを検知し、並びに、前記信号処理ユニット１２は前記警告ユニット１６が警告を発するのをコントロールする。前記警告ユニット１６は表示灯或いはブザーである。前記携帯式電子機器２０には第二挿入検知ユニット２７を設け、前記第二挿入検知ユニット２７は前記制御ユニット２２に接続し、前記第二挿入検知ユニット２７によって前記温度測定器の第一伝送ユニット１３が前記第二伝送ユニット２１と接続しているか否かを検知し、並びに、前記制御ユニット２２を通して前記表示ユニット２３による表示をコントロールする。例えば前記温度測定器１０を前記携帯式電子機器２０に挿入した時、第一挿入検知ユニット１５及び第二挿入検知ユニット２７によってそれぞれ検知が行われ、並びに、前記温度測定器１０と前記携帯式電子機器２０が確実に挿着されていること、前記警告ユニット１６によって警告が発せられて使用者に知らせ、二者が挿着された状態である事を確認する。
【符号の説明】
【００２０】
１    温度測定装置
１１  温度感知ユニット
１２  信号処理ユニット
１３  第一伝送ユニット
１４  ブザー
１５  第一挿入検知ユニット
１６  警告ユニット
２０  携帯式電子機器
２１  第二伝送ユニット
２２  制御ユニット
２３  表示ユニット
２４  電源
２５  照合部材
２６  保存部材
２７  第二挿入検知ユニット
【図１】
0003189676.tif 000003
【図２】
0003189676.tif 000004
【図３】
0003189676.tif 000005
【図４】
0003189676.tif 000006